(57)【特許請求の範囲】
【請求項１】
内部に略円筒状の一次フィルターを同心状に配置したダストボックス本体と、前記ダストボックス本体の内面と前記一次フィルターの外周面との間に形成されたサイクロン空間と、前記サイクロン空間の下方に配され分離された塵埃が蓄積される略円筒状の塵埃蓄積空間と、前記一次フィルターの上部に着脱自在に配され細塵を捕集する二次フィルターと、前記ダストボックス本体の上部に設けられたカバーと、前記二次フィルターの上方に前記二次フィルターと一体に配設されると共に前記二次フィルターに付着した細塵を除去する除塵部と、前記除塵部の一部に形成された突起部とを備え、前記カバーの前記突起部に相対する位置に、前記カバーの外周下端から外周方向に突出する摺動体を前記二次フィルターの上方に一体に配設された前記突起部に当接することで出入自在に設け、前記二次フィルターが前記ダストボックス本体から外された状態では前記カバーの外周下端から外周及び垂直方向に前記摺動体が突出したままとなり、前記ダストボックス本体に前記カバーが取り付け不能となることを特徴とする集塵装置。
【請求項２】
摺動体を、カバーの外周下端から外周方向に突出して出入自在で且つ前記カバーの外周下端から垂直方向にも突出して出入自在に設けたことを特徴とする請求項１に記載の集塵装置。
【請求項３】
摺動体の下端に、突起部に相対する凹部を形成したことを特徴とする請求項１または２に記載の集塵装置。
【請求項４】
摺動体を、カバーの外周下端から外周方向または、外周及び垂直方向に突出させるように付勢する弾性体を設けたことを特徴とする請求項１〜３のいずれか１項に記載の集塵装置。
【請求項５】
摺動体の両側面に軸を形成し、前記軸をカバーに設けた案内溝にて狭持したことを特徴とする請求項１〜４のいずれか１項に記載の集塵装置。
【請求項６】
請求項１〜５のいずれか１項に記載の集塵装置を備えた電気掃除機。
【発明の詳細な説明】
【技術分野】
【０００１】
本発明は、サイクロン式の電気掃除機等に使用される集塵装置及び電気掃除機に関するものである。
【背景技術】
【０００２】
近年のサイクロン式の電気掃除機用の集塵装置は、吸込具から塵埃と共に吸引された空気を円筒集塵部内で旋回させることにより、空気中に混じった塵埃を遠心力を利用して分離し、分離した塵埃を、円筒集塵部下方の集塵室に捕集するものであり、塵埃が分離された空気は、電動送風機による吸引側に吸込まれるようになっている。ところが、円筒集塵部の上方には、フィルターセット部材がフィルター挿着部に挿着され、フィルターセット部材で塵埃を濾過して除去する構成としていた（例えば、特許文献１参照）。
【先行技術文献】
【特許文献】
【０００３】
【特許文献１】特開２００３−１９０９５号公報
【発明の概要】
【発明が解決しようとする課題】
【０００４】
しかしながら上記の様な従来の集塵装置の構成では、フィルターセット部材がフィルター挿着部に挿着されていなくても（フィルターセット部材を挿着し忘れた場合でも）そのまま集塵容器が掃除機本体にセットすることが可能な為、フィルターセット部材がない状態でも掃除機本体を運転することが可能で、この為、吸引された塵埃が除去されないまま集塵容器を通過して吸引され、電動送風機の直前に配置されたフィルター部材が異常な目詰り起こすという課題を有していた。
【０００５】
そこで本発明はこのような従来の課題を解決するためになされたものであり、フィルターセット部材がない状態では、集塵装置を掃除機本体にセットして掃除機本体を運転することが不可能で、吸引された塵埃が除去されないまま集塵装置を通過して掃除機本体へ吸引されるのを防止することが出来る集塵装置及び電気掃除機を提供することを目的とする。
【課題を解決するための手段】
【０００６】
上記従来の課題を解決するために、本発明の集塵装置は、内部に略円筒状の一次フィルターを同心状に配置したダストボックス本体と、前記ダストボックス本体の内面と前記一次フィルターの外周面との間に形成されたサイクロン空間と、前記サイクロン空間の下方に配され分離された塵埃が蓄積される略円筒状の塵埃蓄積空間と、前記一次フィルターの上部に着脱自在に配され細塵を捕集する二次フィルターと、前記ダストボックス本体の上部に設けられたカバーと、前記二次フィルターの上方に前記二次フィルターと一体に配設されると共に前記二次フィルターに付着した細塵を除去する除塵部と、前記除塵部の一部に形成された突起部とを備え、前記カバーの前記突起部に相対する位置に、前記カバーの外周下端から外周方向に突出する摺動体を前記二次フィルターの上方に一体に配設された前記突起部に当接することで出入自在に設け、前記二次フィルターが前記ダストボックス本体から外された状態では前記カバーの外周下端から外周及び垂直方向に前記摺動体が突出したままとなり、前記ダストボックス本体に前記カバーが取り付け不能となるもので、上記除塵部の一部に形成した突起部に摺動体が当接することでカバーの外周下端から外周方向に突出していた摺動体が内周方向に入る為、ダストボックス本体の上部にカバーを取付けてセットすることが可能となる。
【０００７】
しかし、もし二次フィルターを装着し忘れた場合には、二次フィルター上方に配設した除塵部の一部に形成した突起部が摺動体に当接しない為、摺動体はカバーの下端から外周方向に突出したままとなりダストボックス本体上端に摺動体が当接してカバーがダストボ
ックス本体上部に取付け出来ず、二次フィルターがない状態では集塵装置を掃除機本体にセットして掃除機本体を運転することが不可能で、吸引された塵埃が除去されないまま集塵装置を通過して掃除機本体へ吸引されるのを防止することが出来る。
【０００８】
また、本発明の電気掃除機は、請求項１〜５のいずれか１項に記載の集塵装置を備えたもので、使い勝手のよい電気掃除機を提供することが出来る。
【発明の効果】
【０００９】
本発明の集塵装置は、塵埃蓄積空間に蓄積した塵埃が除去されないまま集塵装置を通過して掃除機本体へ吸引されるのを防止することができ、また集塵装置自体もコンパクトなものにすることができ、またこの集塵装置を電気掃除機に搭載することで、コンパクトで使用勝手の良い電気掃除機を提供することができる。
【図面の簡単な説明】
【００１０】
【図１】本発明の実施の形態１における集塵装置を備えた電気掃除機の全体斜視図
【図２】同集塵装置の斜め前方からの斜視図
【図３】同集塵装置の斜め後方からの斜視図
【図４】同集塵装置の内部構成を示す斜視図
【図５】図３におけるＢ−Ｂ断面図
【図６】図２におけるＡ−Ａ断面図
【図７】同集塵装置の突起部と摺動体の動作を示した断面図
【図８】同集塵装置の突起部と摺動体の動作を示した断面図
【図９】同集塵装置の突起部と摺動体の動作を示した断面図
【図１０】同集塵装置の突起部と摺動体の動作を示した断面図
【発明を実施するための形態】
【００１１】
第１の発明は、内部に略円筒状の一次フィルターを同心状に配置したダストボックス本体と、前記ダストボックス本体の内面と前記一次フィルターの外周面との間に形成されたサイクロン空間と、前記サイクロン空間の下方に配され分離された塵埃が蓄積される略円筒状の塵埃蓄積空間と、前記一次フィルターの上部に着脱自在に配され細塵を捕集する二次フィルターと、前記ダストボックス本体の上部に設けられたカバーと、前記二次フィルターの上方に前記二次フィルターと一体に配設されると共に前記二次フィルターに付着した細塵を除去する除塵部と、前記除塵部の一部に形成された突起部とを備え、前記カバーの前記突起部に相対する位置に、前記カバーの外周下端から外周方向に突出する摺動体を前記二次フィルターの上方に一体に配設された前記突起部に当接することで出入自在に設
け、前記二次フィルターが前記ダストボックス本体から外された状態では前記カバーの外周下端から外周及び垂直方向に前記摺動体が突出したままとなり、前記ダストボックス本体に前記カバーが取り付け不能となるもので、上記除塵部の一部に形成した突起部に摺動体が当接することでカバーの外周下端から外周方向に突出していた摺動体が内周方向に入る為、ダストボックス本体の上部にカバーを取付けてセットすることが可能となる。
【００１２】
しかし、もし二次フィルターを装着し忘れた場合には、二次フィルター上方に配設した除塵部の一部に形成した突起部が摺動体に当接しない為、摺動体はカバーの下端から外周方向に突出したままとなりダストボックス本体上端に摺動体が当接してカバーがダストボックス本体上部に取付け出来ず、二次フィルターがない状態では集塵装置を掃除機本体にセットして掃除機本体を運転することが不可能で、吸引された塵埃が除去されないまま集塵装置を通過して掃除機本体へ吸引されるのを防止することが出来る。
【００１３】
第２の発明は、特に、第１の発明の摺動体を、カバーの外周下端から外周方向に突出して出入自在で且つ前記カバーの外周下端から垂直方向にも突出して出入自在に設けたもので、上記除塵部の一部に形成した突起部に摺動体が当接することでカバーの外周下端から外周及び垂直方向に突出していた摺動体が内周方向及び垂直方向に移動するので、ダストボックス本体の上部にカバーを取付けてセットすることが可能となる。しかし、もし二次
フィルターを装着し忘れた場合には、二次フィルター上方に配設した除塵部の一部に形成した突起部が摺動体に当接しない為、摺動体はカバーの下端から外周及び垂直方向に突出したままとなりダストボックス本体上端に摺動体が当接してカバーがダストボックス本体上部に取付け出来ず、二次フィルターがない状態では集塵装置を掃除機本体にセットして掃除機本体を運転することが不可能で、吸引された塵埃が除去されないまま集塵装置を通過して掃除機本体へ吸引されるのを防止することが出来る。
【００１４】
第３の発明は、特に、第１または第２の発明の摺動体の下端に、突起部に相対する凹部を形成したもので、カバーをダストボックス本体上部に取付けする際にカバーの外周下端から外周及び垂直方向に突出していた摺動体の凹部に上記除塵部の一部に形成した突起部が挿入され易くなり、容易にカバーをダストボックス本体上部に取付けすることが出来る。
【００１５】
また、上記除塵部の一部に形成した突起部に摺動体の凹部が当接することでカバーの外周下端から外周及び垂直方向に突出していた摺動体が内周及び垂直方向に移動して入る際にも摺動体の凹部と除塵部の突起部が噛合って位置ズレすることなく内周及び垂直方向に移動して入ることが出来る。
【００１６】
第４の発明は、特に、第１〜３のいずれか一つの発明の摺動体を、カバーの外周下端から外周方向または、外周及び垂直方向に突出させるように付勢する弾性体を設けたもので、コイルバネ等の弾性体で、簡単に且つ安価に構成することが出来るものである。
【００１７】
第５の発明は、特に、第１〜４のいずれか一つの発明の摺動体の両側面に軸を形成し、前記軸をカバーに設けた案内溝にて狭持したもので、上記除塵部の一部に形成した突起部に摺動体の凹部が当接することでカバーの外周下端から外周及び垂直方向に突出していた摺動体が内周及び垂直方向に移動して入る際にも摺動体の両側面に形成した軸がカバーに設けた案内溝に沿って確実に移動し位置ズレすることなく内周及び垂直方向に移動して入ることが出来るものである。
【００１８】
第６の発明にかかる電気掃除機は、請求項１〜５のいずれか１項に記載の集塵装置を備えたもので、使い勝手のよい電気掃除機を提供することが出来る。
【００１９】
以下、本発明の実施の形態について、図面を参照しながら説明する。なお、この実施の形態によってこの発明が限定されるものではない。
【００２０】
（実施の形態１）
本発明の第１の実施の形態における集塵装置を用いた電気掃除機について、図１〜１０を用いて説明する。図１は、本発明の実施の形態１における集塵装置を備えた電気掃除機の全体斜視図、図２は、同集塵装置の前方斜視図、図３は、同集塵装置の後方斜視図、図４は、同集塵装置の内部構成を示す斜視図、図５は、図３のＢ−Ｂ断面図、図６は、図２のＡ−Ａ断面図である。
【００２１】
本実施の形態における集塵装置を用いた電気掃除機は、掃除機本体１と、掃除機本体１の前方に設けた吸入口１ａに接続されるホース２と、ホース２の先端に設けられた接続パイプ３と、接続パイプ３に接続される延長管４と、延長管４の先端に設けられ塵埃を吸引する開口部（図示せず）を有する吸込具５からなり、掃除機本体１には、塵埃を吸引するための電動送風機６が内蔵されると共に、塵埃を集塵する集塵装置７が着脱自在に装着されている。
【００２２】
本実施の形態における集塵装置７は、図２、３に示すように、構成部品を大きく分ける
と、外郭はダストボックス本体８と、ダストボックス本体８の上面を塞ぐように構成されたカバー１１と、カバー１１に備え付けられたハンドル１０と、ダストボックス本体８の下面を塞ぐように設けられたフタ９とから構成される。
【００２３】
フタ９は、ダストボックス本体８に設けたヒンジ部１３で回動可能で、尾錠１８でダストボックス本体８に係止されている。またフタ９に取り付けられたパッキンＤ２９によってダストボックス本体８とエアータイト（気密性保持）される。
【００２４】
図６に示すように、フタ９は、尾錠１８が回動することでロックが外れて、開閉できる構成となっており、押しレバー１２を押すとスライダー４７が下がることで、尾錠１８が開き、フタ９が開放される。なおカバー１１は、バックル１５と爪部１４でダストボックス本体８と係合している。
【００２５】
ダストボックス本体８内には、図５に示すように、その略同心状に一次フィルター２１が設けられ、一次フィルター２１の下方に、傘状の延出部２２が爪（図示せず）による嵌合、または溶着などの手段により、一次フィルター取り付け枠５７に取り付けられている。
【００２６】
一次フィルター２１の上方には、プリーツ状に形成された二次フィルター２３が設けられ、更にその上方には、二次フィルター２３に蓄積した塵埃を振動などの手段により落とすための除塵部２４や、除塵部２４に振動を与える手段となるモーター部２５を備えている。
【００２７】
一次フィルター２１は、金属材料で構成されており、金属表面部分には樹脂などによる凹凸形状を設けない構成とすることで、旋回流が滑らかに流れることになり、分離効率を高めるとともに、塵埃などの巻きつきを軽減する効果を発揮する。なお、一次フィルター２１の表面に研磨処理を施すことによって、その効果を高めることができ、また抗菌処理を施すことによって、一次フィルター２１を清潔に保つことができる。
【００２８】
吸込具５から吸い込まれた塵埃の混じった空気は、掃除機本体１の前方に設けた吸入口１ａを経由して、図３に示すダストボックス本体８に設けた吸気口Ｂ１７に吸い込まれる。吸気口Ｂ１７に吸い込まれた空気は、一次フィルター２１の外周とダストボックス本体８で形成されるサイクロン空間３１に流れ、そこに発生する旋回流により綿ごみを主とした塵埃と細塵を含んだ空気とに遠心分離される。綿ごみを主とした塵埃は、延出部２２とダストボックス本体８間に形成される集塵通路３２を通り塵埃蓄積空間５２へと蓄積されていく。
【００２９】
ここでサイクロン空間３１の幅Ｌ１は、集塵通路３２の幅Ｌ２より大きくなっている。そして塵埃蓄積空間５２の内径Ｒ４は、サイクロン空間の外径Ｒ３より大きくなっており、ダストボックス本体８は、延出部２２の形状に合わせて広がる傾斜部５３を有している。延出部２２の上端は、傾斜部５３より上方の位置にあり、また延出部２２の下端は、傾斜部５３より下方の位置にある。
【００３０】
この構成により、サイクロン空間３１から塵埃蓄積空間５２に向けて、押さえつける力が発生し、塵埃蓄積空間５２に蓄積された塵埃のサイクロン空間３１への舞い上がりを防止している。なお延出部２２の下端は、傾斜部５３より下方の位置にあるとしたが、傾斜部５３にかかっていても同様の効果が得られる。
【００３１】
また、延出部２２とダストボックス本体８の傾斜部５３は、フタ９側から見てれば垂直上方に天井壁を形成したような構成となるので、塵埃蓄積空間５２に蓄積された綿ごみを
主とした塵埃は、サイクロン空間３１へ舞い戻りにくくなり、集塵効率を高めることができるようになっている。
【００３２】
延出部２２の斜面５８とダストボックス本体８の傾斜部５３は略平行になるようにしており、旋回流の乱れを軽減し塵埃蓄積空間５２からサイクロン空間３１への舞い戻りを防ぐとともに、塵埃が集塵通路３２に詰まるのを防ぐことが出来る。なお略平行を保ったまま延出部２２の上端の位置を上下に変化させることによって、集塵通路３２の幅Ｌ２の調整が可能で、幅Ｌ２が下方にいくにつれ徐々に広くしたり、狭くしたりすることが可能である。
【００３３】
なお塵埃蓄積空間５２に向かうにつれて集塵通路３２の幅Ｌ２が広くなるようすれば、傾斜部５３の傾斜を緩やかにすることができるので、集塵装置７の高さ寸法を低く保つことが出来、コンパクトな構成となる。更に、塵埃蓄積空間５２に向かうにつれて集塵通路３２の幅Ｌ２が徐々に狭くなるように構成すれば、塵埃蓄積空間５２方向に押し付ける力が大きくなり、塵埃蓄積空間５２の塵埃が、サイクロン空間３１へ舞い戻るのをより抑制することが出来る。
【００３４】
サイクロン空間３１の外径Ｒ３は、延出部２２の最大外径Ｒ２より大きくなっている。これにより、一次フィルター２１と延出部２２を一部品として構成しても、ダストボックス本体８の上方からの抜き差しが可能となるので組み立て性に優れている。
【００３５】
また、ダストボックス本体８および延出部２２は、少なくともその一部が透明材料で構成されており、塵埃蓄積空間５２や延出部２２の傘状内部に蓄積した塵埃の量も確認できるので、ユーザーがごみ捨ての時期を判断しやすくなっている。
【００３６】
なお、本実施の形態では、延出部２２は、その斜面５８の下端から垂直方向に延びるフランジ５９を備えている。これにより塵埃蓄積空間５２内の塵埃が圧縮されサイクロン空間３１への舞い戻りを防ぐとともに、集塵性能を高めることが出来る。
【００３７】
サイクロン空間３１で綿ごみなどの塵埃が分離され、細塵を含んだ空気は、一次フィルター２１を通過し、二次フィルター２３によって細塵が濾過される。そして、細塵を含まない空気のみが二次フィルター２３を通過し、吸気口Ａ１６を通過し、電動送風機６に吸引される。
【００３８】
二次フィルター２３に堆積した細塵は、電動送風機６の運転が停止中の時に、二次フィルター２３の上方に設けられた除塵部２４にモーター部２５により振動が与えられることによって、二次フィルター２３から剥離する。そして剥離した細塵は、一次フィルター取り付け枠５７より内側の空間を通り、一次フィルター２１下方でかつ延出部２２の内側に設けた内筒３３へと蓄積される。
【００３９】
内筒３３の上部は、剥離した細塵を内筒３３の底部へ導きやすくするために傾斜形状となっている。内筒３３の内側には、返り５５が設けられ、集塵装置７の上下を逆さまにされた場合であっても、内筒３３に蓄積した細塵が再び二次フィルター２３側に戻って、再付着するのを防いでいる。内筒３３は、一次フィルター２１と連通しており、開口した下端は、フタ９に設けられたパッキンＥ３０により塵埃蓄積空間５２と隔離されている。
【００４０】
一次フィルター取り付け枠５７の一次フィルター２１より上方の径は、一次フィルターの外径Ｒ１より大きく、かつサイクロン空間３１を形成するダストボックス本体８の外壁５４の内径Ｒ３よりも大きくなっている。
【００４１】
一次フィルター取り付け枠５７は、ダストボックス本体８の上方から挿入され、パッキンＢ２７で保持リブ５６と圧接して保持される。
【００４２】
二次フィルター２３は、一次フィルター２１の上方に設けられ、二次フィルター２３の外周には、それぞれパッキンＡ２６とパッキンＢ２７が取り付けられており、一次フィルター取り付け枠５７に対して、それぞれ防振およびエアータイトの役割を果たしている。二次フィルター２３の外径は、一次フィルター２１の外径Ｒ１より大きくなっており、空気の流通抵抗を極力減らす構成となっている。これに従い、ダストボックス本体８の上部の外径は、サイクロン空間３１の外壁５４の外径（≒Ｒ３）より大きくなっている。すなわちダストボックス本体８は、全体的にみれば、くびれ形状を有していることになる。
【００４３】
次に、二次フィルター２３の除塵について説明する。図５、６に示すように、除塵部２４は、レール４１にビスなどの連結手段（図示せず）により連結されたカバー１１側の軸部４３が、二次フィルター２３側の除塵板４４に着脱自在に挿入されることによって除塵板４４とレール４１が連結されることで構成されている。
【００４４】
モーター部２５は、モーター４０の回転軸（図示せず）に取り付けられたクランクシャフト３７が、コンロッド３８を介してリニア振動子３９と連結されており、これらは、モーターカバー３５とモーターケース３６で囲われており、ケース体４６にビス等の連結手段によって取り付けられている。
【００４５】
モーター４０は、ケース体４６に取り付けられた電気基盤４９とつながっており、電気基盤４９に配設されたコンデンサ４８が掃除機本体１側に設けた充電手段（図示せず）によって端子１９を介して充電され、スイッチ３４によってコンデンサ４８に蓄積された電流を放電してモーター４０を回転させ、リニア振動子３９が振動するようになっている。リニア振動子３９は、レール４１に接続されており、振動（図５の矢印で示すような左右方向の振動）を除塵板４４に伝えることによって、二次フィルター２３に振動を与えて蓄積した細塵を剥離させることができる。
【００４６】
ケース体４６は、内壁４５とビス等の連結手段によりカバー１１に連結されており、レール４１を、ケース体４６と内壁４５に設けられたレール保持部４２とで挟むことで保持されている。
【００４７】
ここで、図７、図８、図９は、二次フィルター２３の上方に配設された除塵部２４の一部である除塵板４４に形成された突起部６０と、突起部６０に相対する位置のカバー１１の外周下端からコイルバネ６５の弾性力によって外周及び垂直方向に出入自在に突出するように設けられた摺動体６１の構成と動作を示した図で、まず図７に示すように、爪部１４を、ダストボックス本体８に設けた孔８ａに挿入して、カバー１１をダストボックス本体８の上部に取付けるべく徐々に傾けていくと、摺動体６１の下端に形成された凹部６２が、除塵板４４に形成された突起部６０に引っ掛り、突起部６０が凹部６２に挿入されていき、摺動体６１は、突起部６０に当接しながら摺動体６１の両側面に形成した軸６３がカバー１１に設けられた案内溝６４に沿って確実に移動し始める。
【００４８】
次に、図８に示すように、突起部６０に摺動体６１の凹部６２が当接することで、カバー１１の外周下端から外周及び垂直方向に突出していた摺動体６１は、コイルバネ６５に押力を加えて圧縮しながら内周及び垂直方向に移動してカバー１１の内周部に入って行き、最後に、図９に示すように、摺動体６１は、カバー１１の内周部に収納され、バックル１５をダストボックス本体８に係合することでカバー１１が、ダストボックス本体８の上部に取付けられる。
【００４９】
そして、上記摺動体６１の下端に、除塵部２４の一部である除塵板４４に形成された突起部６０に相対する凹部６２が形成されている為、カバー１１を、ダストボックス本体８上部に取付けする際に、カバー１１の外周下端から外周及び垂直方向に突出していた摺動体６１の凹部６２に突起部６０が挿入され易くなり、カバー１１をダストボックス本体８の上部に容易に取付けることが出来るものである。
【００５０】
また、突起部６０に摺動体６１の凹部６２が当接することで、カバー１１の外周下端から外周及び垂直方向に突出していた摺動体６１が、内周及び垂直方向に移動して入る際にも摺動体６１の凹部６２と除塵部２４の突起部６０が噛合って位置ズレすることなく内周及び垂直方向に移動して入ることが出来るものである。
【００５１】
また、上記摺動体６１を弾性体であるコイルバネ６５にてカバー１１の外周下端から外周及び垂直方向に突出させ出入自在に設けている為、コイルバネ６５等の弾性体にて構成することで簡単に且つ安価に構成することが出来るものである。
【００５２】
また、上記摺動体６１の両側面に形成した軸６３を、カバー１１に設けた案内溝６４にて狭持している為、突起部６０に摺動体６１の凹部６２が当接することで、カバー１１の外周下端から外周及び垂直方向に突出していた摺動体６１が、内周及び垂直方向に移動して入る際にも摺動体６１の両側面に形成した軸６３が、カバー１１に設けた案内溝６４に沿って確実に移動し位置ズレすることなく内周及び垂直方向に移動して入ることが出来るものである。
【００５３】
そして、図１０に示すように、もしここで二次フィルター２３をダストボックス本体８に装着し忘れた場合には、二次フィルター２３の上方に配設した除塵部２４の一部である除塵板４４に形成された突起部６０が摺動体６１に当接しない為、摺動体６１は、カバー１１の下端から外周及び垂直方向に突出したままとなり、ダストボックス本体８の上端に摺動体６１が当接または、一次フィルター取り付け枠５７の上端に摺動体６１が当接してカバー１１がダストボックス本体８の上部に取付け出来ない。
【００５４】
ここで摺動体６１の凹部６２の部分を上方へ押し上げたならば摺動体６１は、上記に示したように摺動体６１の両側面に形成した軸６３がカバー１１に設けた案内溝６４に沿って内周及び垂直方向に移動して行くが、凹部６２の部分を押し上げていない状態では、摺動体６１は動くことは無く、摺動体６１は、ダストボックス本体８の上端に当接または、一次フィルター取り付け枠５７の上端に当接してカバー１１をダストボックス本体８の上部に取付けることは出来ないものである。したがって二次フィルター２３がない状態では集塵装置７を掃除機本体１にセットして掃除機本体１を運転することが不可能となり、吸引された塵埃が除去されないまま集塵装置７を通過して掃除機本体１へ吸引されるのを防止することが出来るものである。
【００５５】
なお、上記実施の形態では、摺動体６１がカバー１１の外周下端から外周及び垂直方向に出入自在に突出するように設けられた場合で説明したが、カバー１１の外周下端から外周方向に出入自在に突出するように設けられた場合であっても、作用や効果の点は同じである。
【産業上の利用可能性】
【００５６】
以上のように、本発明に係る集塵装置は、塵埃をサイクロン式分離という原理に基づいて収集する集塵装置において、塵埃蓄積空間に蓄積した塵埃が除去されないまま集塵装置を通過して掃除機本体へ吸引されるのを防ぐことができるので、家庭用や業務用の電気掃除機等に適用できる。
【符号の説明】
【００５７】
１  掃除機本体
６  電動送風機
７  集塵装置
８  ダストボックス本体
１１  カバー
２１  一次フィルター
２２  延出部
２３  二次フィルター
２４  除塵部
３１  サイクロン空間
３２  集塵通路
３３  内筒
５２  塵埃蓄積空間
６０  突起部
６１  摺動体
６２  凹部
６３  軸
６４  案内溝
６５  コイルバネ（弾性体）
【図２】
0005691015.tif 000002
【図３】
0005691015.tif 000003
【図４】
0005691015.tif 000004
【図５】
0005691015.tif 000005
【図６】
0005691015.tif 000006
【図７】
0005691015.tif 000007
【図８】
0005691015.tif 000008
【図９】
0005691015.tif 000009
【図１０】
0005691015.tif 000010
【図１】
0005691015.tif 000011